(57)【要約】【課題】表示装置を撮影装置で撮影する際、入力された撮影信号と映像信号は、内部回路により遅延が発生する。このため撮影開始タイミングに誤差が生じる。表示と撮影が同期出来る様、評価画像の画像処理評価により誤差の検出と制御を行う撮影記録システムを提供する。【解決手段】表示装置の撮影評価において撮影記録システムは、映像出力装置１０と表示装置１２と制御装置１１と画像評価装置１４と撮影装置１３より構成し、撮影開始タイミング制御は所定の評価映像を表示装置１２で表示し、撮影信号２２より撮影装置１３で表示画像２３を撮影し撮影画像２４を得る。画像評価装置１４により撮影評価画像２６の画像処理評価により撮影装置１３の撮影開始タイミングと表示装置１２に表示される表示画像２４のフレーム開始タイミングとが同期する撮影開始タイミングを生成出来る。その結果、表示装置の撮影評価を高精度に行う事が出来る。【選択図】図１
2010041631.tif 000002
【特許請求の範囲】
【請求項１】
表示画像評価用の映像信号を出力する映像出力装置と、映像信号を表示する表示装置
と、前記表示装置の表示する表示画像を撮影する撮影装置と、前記撮影装置で撮影され
た撮影画像データをメモリに保持し評価画像として出力する画像メモリと、評価画像を
所定の画像処理評価をする分析装置と、分析装置による分析結果の映像を生成する評価
映像出力装置と、その映像を表示する評価映像表示装置と、分析装置により生成された
制御信号により撮影開始タイミングを制御する制御装置とを有する評価システムの撮影
方法において、画像評価装置にて評価画像に対し所定の評価を行い、上記撮影装置の撮
影開始タイミングを映像信号が表示装置に表示する表示画像のフレーム開始タイミング
に同期させる設定信号を分析装置により生成し制御装置により制御する事を特徴とする
撮影記録システム。
【請求項２】
撮影記録システムによる評価方法として、映像信号と撮影信号に関する条件設定を各
装置に設定する撮影条件設定処理と、撮影評価画像を取得する撮影処理と、撮影評価画
像より輝度の算出を行う輝度算出処理と、輝度算出処理結果より撮影評価画像の二値化
を行う二値化処理と、フレーム開始タイミングとする点灯期間の先頭より撮影した画像
の検出を行う先頭点灯画像検出処理と、先頭点灯画像の撮影開始タイミングがフレーム
開始タイミングと同期するか判定を行う画像輝度判定処理と、画像輝度判定結果と撮影
開始タイミングの遅延制御量を出力する結果出力処理を行う事を特徴とする請求項１に
記載の撮影記録システム。
【請求項３】
撮影記録システムによる評価方法として、撮影装置で撮影した撮影画像を保持し任意
のタイミングで評価画像として出力する画像メモリと、評価画像を画面上に時系列順に
一覧を表示する評価映像出力装置と、前記評価映像出力装置より出力した映像信号を表
示する評価結果表示装置とにより構成される請求項１及び請求項２に記載の撮影記録シ
ステム。
【請求項４】
撮影記録システムによる評価方法として、請求項１及び請求項２に記載の撮影記録シ
ステムにより表示画像を撮影する撮影装置の撮影開始タイミングをフレーム開始タイミ
ングに補正して撮影した撮影画像と、その撮影画像を画像メモリに保持し出力した評価
画像と、評価画像の輝度算出処理と二値化処理によって１、０のデジタル信号データと
して自動的に分析を行う分析装置とを有する評価システムにおいて表示装置の発光タイ
ミングを発光タイミング信号として自動生成する機能を有する請求項１及び請求項２に
記載の撮影記録システム。
【請求項５】
撮影記録システムによる評価方法として請求項４に記載の表示装置の発光パターンを
示す発光タイミング信号を出力する分析装置と、発光タイミング信号を波形、表等によ
り表示する為の映像信号を生成する評価映像出力装置と、前記評価映像出力装置による
映像信号を表示する評価結果表示装置により構成される請求項１、請求項２及び請求項
４に記載の撮影記録システム。
【発明の詳細な説明】
【技術分野】
【０００１】
本発明は、評価対象の表示装置に表示される表示画像を撮影装置により撮影し、撮影
された撮影画像の評価を行う撮影記録システムテム及び撮影開始タイミング制御方法に
関し、特にフィールド分割駆動方式による表示装置を評価対象とし評価画像の画像処理
評価により撮影開始タイミングをフレーム開始タイミングに制御する方法を有する事を
特徴とする撮影記録システムに関する。
【背景技術】
【０００２】
表示装置の撮影評価は、従来の人間による主観的な視認検査と違い、表示装置を撮影
した撮影画像を記憶装置により保存し、評価画像としてコンピュータ等により定量的に
評価する客観的方法が一般的に行われている。例としてプラズマディスプレイパネルで
は、擬似輪郭を問題とした動解像度の定量測定やサブフィールド期間での表示素子の発
光特性測定、フレームの撮影による表示特性測定などが行われている。上記の様な撮影
装置による表示装置の評価システムの公知例を下記に示す。
【０００３】
本技術分野の背景技術として、例えば、特開２０００−１０２０４４号公報（特許文
献１）によると、「特に、時分割（フィールド分割）駆動方式によって駆動さ
れる表示素子の表示特性の評価を適切かつ簡便に行う。解決手段は、表示装置の表示画
面を所定の画像入力期間に撮影装置によって撮影し、その結果得られた撮影画像（評価
画像）に対し評価装置で所定の評価を行う。撮影装置の撮影フィールド周波数を、表示
装置の表示フィールド周波数と異なる様に設定する。あるいは、撮影フィールド周波数
を、制御装置によって調整して表示装置の表示フィールド周波数と異なる様に設定して
もよい。両フィールド周波数が異なることによって、評価画像が画面における上または
下方向に移動するので、表示装置の諸表示特性を表示画面の全位置およびフィールドの
全期間（時刻）において測定することができる。その結果、表示装置１の良否判定、表
示異常箇所の特定、駆動条件の調整等を簡便に行うことができる。」（要約）と記載さ
れている。
【０００４】
また、本技術分野の背景技術として、例えば、特開２００１−４２８４５号公報（特
許文献２）がある。該公報には、「ＰＤＰに動画を表示した時の動特性測定用
データを取得する。解決手段は、ＰＤＰ２の画面上に、画面上を走査線方向に移動する
画像が表示されると、この状態で、ＰＤＰ２の画面上の数走査線の光信号が、画像検出
装置３の撮影用レンズを介してラインセンサに入射され、入射された光信号がラインセ
ンサにより電気信号に変換され蓄積される。そして、制御装置兼演算装置４からの画像
設定信号に応答して、画像信号発生器１により所定量だけ遅延させた垂直同期信号が画
像検出装置３に出力されると、この垂直同期信号に同期してタイミング信号発生部によ
り画像読出信号が発生され、この発生された画像読出信号によりラインセンサからアナ
ログ画像信号が取り出され、デジタル画像信号に変換され、制御装置兼演算装置４に供
給される。」（要約）と記載されている。
【０００５】
上記以外の、撮影装置により表示装置の評価を行うシステムを有する公知例を特許文
献３〜７に示す。
【特許文献１】特開２０００−１０２０４４号公報
【特許文献２】特開２００１−４２８４５号公報
【特許文献３】特開２００６−４６４８号公報
【特許文献４】特開２００６−５４２９号公報
【特許文献５】特開２００６−４９１６６号公報
【特許文献６】特開２００７−２４６１６号公報
【特許文献７】特開２００７−１４１５４２号公報
【発明の開示】
【発明が解決しようとする課題】
【０００６】
従来の技術では表示画像の撮影をする場合、制御装置により撮影装置の撮影開始タイ
ミングを映像信号の垂直同期信号に同期し、撮影装置と表示装置に出力していたので、
撮影装置と表示装置の内部回路遅延時間が考慮されていないため表示装置で表示した画
像を撮影しても意図したタイミングの画像が得られないという問題があった。
【０００７】
本発明の目的は、上記内部回路遅延を考慮し、撮影開始タイミングと表示装置に表示
する表示画像のフレーム開始タイミングが同期する撮影開始タイミングを生成出来る撮
影評価システムを提供する事にある。さらに本発明の他の目的は、上記タイミング生成
を可能にする画像評価装置により評価画像の画像処理評価を行い、評価結果から得られ
る映像と撮影の設定信号を制御装置にフィードバックする事により、自動的に撮影信号
と映像信号の遅延制御を行う事を特徴とした撮影開始タイミング制御方法と評価画像、
画像処理結果による評価画像の波形表示機能を提供する事を目的としている。
【課題を解決するための手段】
【０００８】
上記目的を達成するために、本発明は表示装置に表示される所定の評価映像信号を出
力する映像出力装置と、撮影評価対象であり評価映像となる表示画像を作成する映像出
力装置と表示画像を表示する表示装置と、制御装置による所定の撮影信号により表示画
像を撮影し撮影画像を得る撮影装置と、撮影した撮影画像の保存と画像処理による評価
を行い評価結果より映像、撮影設定を有する設定信号を出力する画像評価装置とその評
価結果を表示する評価結果表示装置から構成され、上記システムの有する評価方法とし
て評価映像と撮影の設定を行う撮影条件設定処理と、撮影条件設定処理より出力された
撮影信号により撮影し撮影評価画像を得る撮影処理と、撮影評価画像より輝度の算出を
行う輝度算出処理と、輝度算出処理結果より撮影評価画像の二値化を行う二値化処理と、
二値化画像よりフレーム開始タイミングとする点灯期間の先頭より撮影した画像の検出
を行う先頭点灯画像検出処理と、先頭点灯画像の撮影開始タイミングがフレーム開始タ
イミングと同期するか判定を行う画像輝度判定処理と、判定結果と撮影開始タイミング
の遅延制御量を出力する結果出力処理を行う事を特徴とする撮影記録システム及び撮影
開始タイミング制御方法である。
【発明の効果】
【０００９】
本発明によれば、表示装置の撮影評価において評価画像を画像評価装置により評価す
る事により、表示装置に表示される表示画像のフレーム開始タイミングに同期する、表
示装置と撮影装置の内部回路遅延時間を考慮した撮影装置の撮影開始タイミングの設定
を検出出来、表示装置の撮影評価を高精度に行う事が出来る。
また、撮影評価結果の一覧表示及び評価映像の発光パターンを分析装置で評価画像よ
り分析し評価結果表示装置で表示する事が出来る。
【発明を実施するための最良の形態】
【００１０】
本発明の実施形態を以下に示す、図１〜図４を用いて説明する。
撮影記録システムの構成は、図１に示す様に表示装置１２に表示される所定の映像信
号２０を出力する映像出力装置１０と、評価対象となる表示画像２３を表示する表示
装置１２と、表示画像２３を撮影し撮影画像２４を出力する撮影装置１３と、撮影画
像２４の保存を行う画像評価装置１４内の画像メモリ１５と、画像メモリ１５より出
力される評価画像２５を用い画像処理による評価を行い設定信号２７を出力する分析
装置１７と、前記、評価画像２５と分析装置１７による波形信号２６を表示する評価
結果表示信号３０を出力する評価映像出力装置１６とその評価映像信号２８を表示す
る評価結果表示装置１８と、垂直同期信号２１と設定信号２７を用い所定の制御によ
り撮影信号２２を出力する制御装置１１により構成されている。
【００１１】
本実施形態では、表示装置１２にＡＣ型プラズマディスプレイパネル、ＤＣ型プラズ
マディスプレイパネル等の１フィールド期間を複数のサブフィールドに分割する事によ
り階調を有する動画像を表示するフィールド駆動方式を用いた表示装置を用いる。
本実施形態では、図２と図３に示す特開平８−２５４９６５にて公開されたサブフィ
ールド駆動方法の様に表示するプラズマディスプレイに本発明を適用する。図２と図
３の例では１フィールドは６つのサブフィールドＳＦ１〜ＳＦ６に時分割され階調表
現を行う、各サブフィールドはアドレス期間（消灯期間）とサスティン期間（点灯期
間）に分けられる。アドレス期間は、表示装置に表示するデータに従いパネルの１ラ
イン毎に走査し微小放電を発生させ壁電荷をパネル全域の表示セルに蓄積する。サス
ティン期間は、サスティンパルスを印加しアドレス期間に壁電荷を形成した表示セル
に対し放電させる事で発光表示する。各フィールド間のサスティン期間、アドレス期
間以外の残余期間はブランキング期間として設けられている。
【００１２】
図２に示す駆動方法は、アドレス期間とサスティン期間を１セットとしてサブフィー
ルドを構成し、サブフィールドを所定の回数繰り返す事を特徴とする。図３に示す駆動
方法はアドレス期間とサスティン期間とをライン順次走査書き込みにより並行して駆動
する事を特徴とする。
図２と図３に示すサブフィールド駆動方法例は、サブフィールド毎のサスティンパル
スの印加回数により輝度を階調表現する。それぞれの輝度の相対比は１：２：４：８
：１６：３２に設定される。各サブフィールドの点灯、非点灯を表示画像２３の表示
データにより制御し１フィールドを６つのサブフィールドの組合せにより６４階調表
示を行う。
【００１３】
映像出力装置１０は、表示装置１２に表示する評価映像信号の出力装置であり任意の
静止画像又は動画像を出力出来る。映像出力装置１０より出力する所定の映像信号２０
は、ＤＶＩやＨＤＭＩ方式等を用い映像信号をデジタル信号により伝送する。
制御装置１１は、映像信号２０より垂直同期信号２１を抽出し撮影装置１３の初期の
撮影開始タイミングとして同期させる。制御装置１１は、画像評価装置１４の所定の
評価結果より出力される設定信号２７により、撮影開始タイミング、撮影枚数、撮影
期間等は撮影信号２２として出力する。
表示装置１２は、映像出力装置１０より出力された映像信号２０を入力し表示装置１
２のパネル部から表示画像２３を表示する。
【００１４】
撮影記録システムでは、サブフィールドの先頭サスティン期間の開始位置をフレーム
開始タイミングとし、表示装置１２と撮影装置１３の内部回路遅延を考慮し制御する撮
影開始タイミングの基準時間とする。
撮影信号２２に設定される撮影開始タイミング設定は、映像信号２０に含む最大周波
数信号のドットクロックを基準クロックとして設定する事が好ましい。これより、映像
信号２０と撮影信号２２は基準クロックによる同期が取られ毎フレームの撮影開始タイ
ミングが等しくなる利点がある。
ドットクロックを基準クロックとして用いたが、映像信号２０と同期出来るドットク
ロック以上の周波数を持つクロックを利用しても良い。画像評価装置１４の評価による
フレーム開始タイミングへのトリガ制御において、間隔は基準クロックのクロック周波
数が高い程、最小間隔が短くなるため遅延制御の精度は向上する。
【００１５】
撮影装置１３は、高速度カメラ、ビデオカメラ等で構成され表示装置１２に表示され
た表示画像２３を撮影する。撮影した撮影画像２４は、画像評価装置１４に送信される。
撮影装置１３は、ビデオカメラ、高速度カメラ等の最短サブフィールド期間より短い
期間を撮影する事が出来る装置により構成され、さらにコンピュータ、ＦＰＧＡ等から
構成される制御装置１１より出力される撮影信号２２により任意に設定を制御出来る撮
影装置が好ましい。
【００１６】
画像評価装置１４は、撮影画像２４を入力し所定の画像処理評価を行い、評価結果に
より撮影信号設定をする設定信号２７を出力出来る。
画像評価装置１４の評価機能として本実施形態では、評価画像２５による表示装置１
２の駆動方法判別機能と、評価画像２５の画像処理評価により表示装置１２と撮影装置
の内部回路遅延時間を考慮したフレーム開始タイミングへの撮影開始タイミング制御機
能とを有する。画像評価装置１４は、以上の評価を簡便に行えるコンピュータ等の処理
装置により構成する事が好ましい。
【実施例１】
【００１７】
本実施例は、図２に示す駆動方法を用いたプラズマディスプレイパネル
に本発明を適用する。本実施例では、上記プラズマディスプレイパネルの駆動方法が既
知である事を利用する。
本実施例の評価方法を図４のフローチャートに示し以下より説明する。本実施形態に
おける評価は撮影条件設定処理３０と撮影処理３１と輝度算出処理３２と二値化処理３
３と先頭点灯画像検出処理３４と画像輝度判定処理３５と結果出力処理３７より構成さ
れる。本実施例で用いる表示装置１２に表示する評価映像は、サブフィールドの先頭サ
スティン期間を検出するために全画面白と全画面黒の静止画像が１フレーム毎に繰り返
す映像パターンを使用する。
【００１８】
撮影条件設定処理３０は、画像評価装置１４から撮影信号２２に関する条件設定を設
定信号２７として送信し制御装置１１で各装置に設定する。設定は、上記映像パターン
の出力画像と、黒画面の後白画面となる２フレーム期間の映像を完全に撮影するための
４フレームの撮影期間と、垂直同期信号２１に同期にする撮影開始タイミングに設定す
る。これより撮影処理３１は、上記撮影条件設定処理３０で設定された撮影信号２２よ
り撮影装置１３で撮影し撮影画像２４を画像評価装置１４に出力する。
【００１９】
輝度算出処理３２は、まず、上記撮影画像２４を画像メモリ１５で保持した後出力した
評価画像２５をＲＧＢからＹ、Ｃｂ、Ｃｒへ色空間を変換する。次に、画素単位の輝度
を下記数式１より算出する。この時、輝度をＹ、評価画像中の赤の画素成分をＲ、緑の
画素成分をＧ、青の画素成分をＢとする。
【００２０】
【数１】
2010041631.tif 000003
【００２１】
二値化処理３３は、上記より算出した輝度値を用い二値化処理を行う。二値化に用い
る閾値を以下より算出する。全画像、全画素より算出した輝度値により最大、最小の輝
度値を検出しその平均値を閾値とする。上記閾値より評価画像２５の各画素に対し閾値
以上の輝度ならば明画素として１に、閾値より低い輝度ならば暗画素として０に二値化
する。先頭点灯画像検出処理３４は、前記二値化処理画像を撮影開始画像から順に評価
する。全面暗画素の画像が１フレーム撮影枚数以上連続した後に明画素を含む画像を検
出し、この画像を先頭点灯画像として出力する。
【００２２】
画像輝度判定処理３５は、前記先頭点灯画像の３回分の検出画像を用い比較する。画
像が３枚に満たない場合、判定結果を不一致とし撮影条件設定処理３０へ処理を移行す
る。３枚保持している場合、３枚目を現在の設定で撮影した画像とし、１枚目が２クロ
ック前、２枚目が１クロック前に撮影された画像とする。３枚の画像よりそれぞれ１画
面分の輝度値の総和を算出する。１枚目の画像より輝度が高く、３枚目の画像と同じ又
は低い輝度となる２枚目の画像を検出しサスティン先頭画像とする。一致の場合、先頭
点灯画像がフレーム開始タイミングと同期していると判断し、２枚目の撮影開始タイミ
ングの遅延クロック数設定を出力し撮影枚数算出処理３６へ処理を移行する。不一致の
場合、先頭点灯画像の撮影開始タイミングは、フレーム開始タイミングとずれがあると
判断し撮影条件設定処理３０へ処理を移行し、撮影開始タイミングを１クロック遅延さ
せ上記と同様に、撮影処理３１と輝度算出処理３２と二値化処理３３と先頭点灯画像検
出処理３４と画像輝度判定処理３５を行う。
【００２３】
撮影枚数算出処理３６は、撮影開始画像から先頭点灯画像までの撮影画像枚数をカウ
ントし出力する。
結果出力処理３７は、上記処理より設定された撮影開始タイミングの遅延クロック数
と撮影開始画像から先頭点灯画像までの撮影画像枚数を出力する。
【００２４】
以上より本実施例は、撮影記録システムを用いた所定の評価を行い、評価画像２５よ
り撮影開始タイミングがフレーム開始タイミングに同期する時の撮影条件として撮影開
始タイミングに設定した遅延クロック数と、撮影画像枚数よりフレーム開始タイミング
に同期した撮影開始タイミングにより撮影された撮影画像の位置を検出する事が出来る。
これより、表示装置１２と撮影装置１３との内部回路遅延時間を考慮した撮影開始タイ
ミングを得る事が出来る。
【実施例２】
【００２５】
本実施例は、図３に示す駆動方法を用いたプラズマディスプレイパネル
に本発明を適用する。本実施例では、上記プラズマディスプレイパネルの駆動方法と撮
影画像２４の画素幅の整数倍が表示装置１２の画素幅と一致し幅値が既知である事を利
用する。本実施例の評価方法を図４のフローチャートに示し以下より説明する。本実施
形態における評価は撮影条件設定処理３０と撮影処理３１と輝度算出処理３２と二値化
処理３３と先頭点灯画像検出処理３４と画像輝度判定処理３５と結果出力処理３７より
構成される。
表示装置１２における１画素の縦幅と等しい撮影画像２４の画素数を基準画素数とす
る。本実施例の図４に示す撮影条件設定処理３０と撮影処理３１と輝度算出処理３２
と二値化処理３３と先頭点灯画像検出処理３４は、実施例１と同様に処理を行う。
【００２６】
画像輝度判定処理３５は、上記処理より検出した先頭点灯画像より撮影開始タイミン
グを算出する。図３の駆動方式はサスティン期間の点灯をパネルの上から下へライン毎
に走査するので、先頭点灯画像の最上位ラインから基準画素数下のラインの間にのみ明
画素があるか判定する。判定結果より条件一致の場合、先頭点灯画像がフレーム開始タ
イミングと同期していると判断し、撮影開始タイミングの遅延クロック数の設定を出力
し撮影枚数算出処理３６へ処理を移行する。不一致の場合、先頭点灯画像の撮影開始タ
イミングは、フレーム開始タイミングとずれがあると判断し撮影条件設定処理３０へ処
理を移行する。
【００２７】
撮影条件設定処理３０では、画像輝度判定処理３５の判定結果より不一致の場合、撮
影開始タイミングを１クロック遅延させ、上記と同様に撮影処理３１と輝度算出処理３
２と二値化処理３３と先頭点灯画像検出処理３４と画像輝度判定処理３５を行う。
撮影枚数算出処理３６は、撮影開始画像から先頭点灯画像までの撮影画像枚数をカウ
ントし出力する。
結果出力処理３７は実施例１の結果出力処理３７と同様に、上記処理より設定された
撮影開始タイミングの遅延クロック数と撮影開始画像から先頭点灯画像までの撮影画像
枚数を出力する。
【００２８】
以上より本実施例は、実施例１と同様に撮影記録システムを用いた所定の評価を行い
撮影開始タイミングの遅延クロック数と、撮影画像枚数よりフレーム開始タイミングに
同期した撮影開始タイミングにより撮影された撮影画像の位置を生成する事が出来る。
これより、表示装置１２と撮影装置１３との内部回路遅延時間を考慮した撮影開始タ
イミングを得る事が出来る。
【実施例３】
【００２９】
本実施例は、実施例１、実施例２に示す撮影評価システムに本発明を適
用する。本実施例では、実施例１、実施例２で行う撮影タイミング生成による撮影開始
タイミング補正後の撮影画像２４を利用する。
本実施例の方法を図５のフローチャートに示し以下より説明する。本実施形態におけ
る評価は評価画像縮小処理４０と縮小画像配置処理４１と評価映像信号出力処理４２に
より構成される。
【００３０】
画像メモリ１５に保持した評価画像２５を複数枚選択し評価映像出力装置１６に入
力する。評価映像出力装置では、評価結果表示装置１８に評価画像２５を表示するため
に評価画像縮小処理４０を行い画像サイズの縮小を行う。縮小画像は、縮小画像配置処
理４１により時系列順に１画面に収まる様配置され、評価映像信号出力処理４２により
評価画像２５をサムネイル上に表示した映像信号を評価映像信号２８として評価結果表
示装置１８に出力し表示する。これより、表示装置１２を撮影した撮影画像２４の表示
を表示する事が出来る。
【実施例４】
【００３１】
本実施例は、実施例１、実施例２に示す撮影評価システムに本発明を適
用する。本実施例では、実施例１、実施例２で行う撮影タイミング生成による撮影開始
タイミング補正後の撮影画像２４を分析装置１７で所定の画像処理を行った結果を利用
する。本実施例の方法を図６のフローチャートに示し以下より説明する。本実施形態に
おける評価は輝度算出処理５０と二値化処理５１と発光タイミング信号生成処理５２
と波形信号出力処理５３により構成される。
【００３２】
画像メモリ１５に保持した評価画像２５を分析装置１７に入力する。分析装置１７
では、実施例１、実施例２と同様に輝度算出処理５０と二値化処理５１を行う。発光タ
イミング信号生成処理５２では、二値化処理５１の結果と撮影装置１３に設定した撮影
タイミング毎のカウンタにより二値化処理結果の時間データを生成し発行タイミング信
号２６として評価映像出力装置１６に出力する。
評価映像出力装置１６は、評価映像出力処理５３で生成した表示装置の発光パターン
を示す二値化処理結果と撮影タイミングより生成した時間データを元に図７の発光タイ
ミングデジタル波形表示画面６０に示す発光タイミングデジタル波形６１の様な表示装
置１２の発光タイミングを示すデジタル波形を評価映像信号２８として評価結果表示装
置１８に出力し表示する。これより、撮影画像２４から得られる表示装置１２の発光他
パターンを波形として表示する事が出来る。また、波形の他に発光タイミング信号を表
やグラフなどの他の解析方法を用いて表示しても良い。
【図面の簡単な説明】
【００３３】
【図１】撮影記録システムの実施形態を示す構成図である。
【図２】図１に示す実施形態に適用した実施例１のサブフィールド駆動方法に関する説明図である。
【図３】図１に示す実施形態に適用した実施例２のサブフィールド駆動方法に関する説明図である。
【図４】図１に適用される撮影タイミング制御方法の詳細を示すフローチャートである。
【図５】図１に適用される評価画像を評価結果表示装置にサムネイル表示する方法の詳細を示すフローチャートである。
【図６】図１に示す表示装置の発光パターンを撮影した評価画像を分析装置に設けた輝度算出処理と二値化処理により発光タイミング信号を生成し、評価結果表示装置に表示する方法の詳細を示すフローチャートである。
【図７】図６に示す発光タイミング信号を評価結果評価映像出力装置を用いて評価結果表示装置に波形信号として表示する方法に関する説明図である。
【符号の説明】
【００３４】
１０…映像出力装置
１１…制御装置
１２…表示装置
１３…撮影装置
１４…画像評価装置
１５…画像メモリ
１６…評価映像出力装置
１７…分析装置
１８…評価結果表示装置
２０…映像信号
２１…垂直同期信号
２２…撮影信号
２３…表示画像
２４…撮影画像
２５…評価画像
２６…発光タイミング信号
２７…設定信号
２８…評価映像信号
３０…撮影条件設定処理
３１…撮影処理
３２…輝度算出処理
３３…二値化処理
３４…先頭点灯画像検出処理
３５…画像輝度判定処理
３６…撮影枚数算出処理
３７…結果出力処理
４０…評価画像縮小処理
４１…縮小画像配置処理
４２…評価映像信号出力処理
５０…輝度算出処理
５１…二値化処理
５２…発光タイミング信号生成処理
５３…評価映像出力処理
６０…発光タイミングデジタル波形表示画面
６１…発光タイミングデジタル波形
【図１】
2010041631.tif 000004
【図２】
2010041631.tif 000005
【図３】
2010041631.tif 000006
【図４】
2010041631.tif 000007
【図５】
2010041631.tif 000008
【図６】
2010041631.tif 000009
【図７】
2010041631.tif 000010